(57)【特許請求の範囲】
【請求項１】
第１及び第２のボディを有する電子カメラであって、
当該第１のボディと当該第２のボディは回転可能に軸支されており、
当該第１のボディは対物レンズ及びストロボを具備し、
当該第２のボディ内に、ミラーで折り曲げた被写体像が入射するレンズ光学系及び撮像素子が当該第１のボディと一体的になって配置される
ことを特徴とする電子カメラ。
【請求項２】
第１及び第２ボディを有する電子カメラであって、
当該第１のボディと当該第２のボディは回転可能に軸支されており、
当該第１のボディは対物レンズを具備し、
当該第２のボディ内に、ミラーで折り曲げた被写体像が入射するレンズ光学系と撮像素子が当該第１のボディと一体的になって配置され、その前方にメモリカード、後方に液晶表示手段が配置される
ことを特徴とする電子カメラ。
【請求項３】
第１及び第２ボディを有する電子カメラであって、
当該第１のボディと当該第２のボディは回転可能に軸支されており、
当該第１のボディは対物レンズを具備し、
当該第２のボディ内には、ミラーで折り曲げた被写体像が入射するレンズ光学系と撮像素子が当該第１のボディと一体的になって配置され、
当該レンズ光学系の光軸方向に当該撮像素子、当該撮像素子の放熱板、電池の順番に配置した
ことを特徴とする電子カメラ。
【発明の詳細な説明】
【０００１】
【発明の属する技術分野】
本発明は電子カメラに関し、より具体的には、小型で薄型でありながら高倍率のズームレンズを搭載できる電子カメラに関する。
【０００２】
【従来の技術】
電子カメラは、旅行等、屋外に持っていく機会が多いので、小型であること、携帯性がいいこと、且つ種々の条件で撮影と再生が可能であることが重要な要件になっている。そこで近年のディジタルスチル・カメラ及びディジタル・ビデオ・カメラは、全体として扁平形状にされる傾向がある。撮影レンズには単焦点が使用される。
【０００３】
しかし、従来のものは使い勝手が悪く、それを解決するものとして、撮影光学系内にミラーを配置して光軸を直角に曲げるようにして、扁平でありながらズームレンズを利用できるようにした構成（例えば、平成８年特許出願公開第０３２８４１号項）や、撮影レンズを回転可能にして種々の角度での撮影を可能にする構成（平成８年特許出願公開第２０５０２２号公報）などが提案されている。
【０００４】
【発明が解決しようとする課題】
しかし、平成８年特許出願公開第３２８４１号公報に記載の従来例では、ストロボなどの補助光源が無く、暗い環境では撮影できない。また、対物レンズのみを回転して、後ろも撮影できるが、これだけでは、使い勝手が悪い。
【０００５】
また、平成８年特許出願公開第２０５０２２号公報に記載の従来例では、レンズユニットを回転可能にしており、携帯性を維持しつつそのレンズユニット中にズームレンズを組み込むスペースを確保するのが困難である。
【０００６】
電子カメラの電源は通常、電池であるが、電池は比較的寒さに弱いので、何らかの防寒手段又は加熱手段を設けるのが好ましいが、これらの手段を設けることで電力消費が増えてはならない。
【０００７】
本発明は、このような問題点を解決する電子カメラを提示することを目的とする。
【０００８】
即ち、本発明は、小型で薄型でありながら高倍率のズームレンズを搭載できる電子カメラを提示することを目的とする。
【０００９】
本発明は更に、特別な電力消費無しに電源電池を保温できる電子カメラを提示することを目的とする。
【００１０】
【課題を解決するための手段】
本発明に係る電子カメラは、第１及び第２のボディを有する電子カメラであって、当該第１のボディと当該第２のボディは回転可能に軸支されており、当該第１のボディは対物レンズ及びストロボを具備し、当該第２のボディ内に、ミラーで折り曲げた被写体像が入射するレンズ光学系及び撮像素子が当該第１のボディと一体的になって配置されることを特徴とする。
【００１１】
本発明に係る電子カメラはまた、第１及び第２ボディを有する電子カメラであって、当該第１のボディと当該第２のボディは回転可能に軸支されており、当該第１のボディは対物レンズを具備し、当該第２のボディ内に、ミラーで折り曲げた被写体像が入射するレンズ光学系と撮像素子が当該第１のボディと一体的になって配置され、その前方にメモリカード、後方に液晶表示手段が配置されることを特徴とする。
【００１２】
本発明に係る電子カメラはまた、第１及び第２ボディを有する電子カメラであって、当該第１のボディと当該第２のボディは回転可能に軸支されており、当該第１のボディは対物レンズを具備し、当該第２のボディ内には、ミラーで折り曲げた被写体像が入射するレンズ光学系と撮像素子が当該第１のボディと一体的になって配置され、当該レンズ光学系の光軸方向に当該撮像素子、当該撮像素子の放熱板、電池の順番に配置したことを特徴とする。
【００１３】
【発明の実施の形態】
以下、図面を参照して本発明の実施の形態を詳細に説明する。
【００１４】
図１及び図２は、本発明の第１実施例の外観斜視図を示し、図３は、横断面図を示す。１０は略箱形のカメラ本体、１２はカメラ本体１０の側面に、横方向に延びる軸を中心に回転自在に取り付けられる対物レンズ部である。対物レンズ部１２は対物レンズ１４を具備し、周面にバリヤ開閉つまみ１６が設けられている。バリヤ開閉つまみ１６は、上にあげると、対物レンズ１４の外側の開口をバリヤ１８（図３及び図４）が閉じた状態になり、下にさげるとバリヤ１８が対物レンズ１４の外側の開口を開いた状態になる。２０はストロボのフレネル・レンズである。２２は、メモリ・カード２４を挿入するカード・スロット（の蓋）である。
【００１５】
２６はレリーズボタンであり、これを押すことで、被写体像の電気画像信号が装着されているメモリ・カード２４に記録される。
【００１６】
２８，３０はズームボタンであり、ボタン２８を押すと、撮影レンズがテレ側に移行し、ボタン３０を押すと、撮影レンズがワイド側に移行する。３２は、種々の計数値、ストロボ状態及び電池残量などを表示する表示パネル、３４は、ファインダ及び再生画像表示表示手段となる液晶表示パネル、３６は再生、消去、コマ送り、戻し及びプロテクト等の操作のための再生処理用ボタン、３８は露出モード、セルフ撮影及び露出補正等の操作のための選択ボタン、４０はストロボのオン／オフ・スイッチ、４２は指当て部である。
【００１７】
図３から分かるように、カメラ本体１０内には、対物レンズ部１２から横に延びたズーム・レンズ・ユニット４４が収容されている。ズーム・レンズ・ユニット４４は、カメラ本体１０内で、ズーム・レンズ・ユニット４４の光軸方向を中心に回転自在である。４６は、対物レンズ１４からの光軸をズーム・レンズ・ユニット４４の方に、ほぼ直角に転回するミラーである。
【００１８】
４８は光学ローパスフィルタ、５０は撮像素子、５２は撮像素子５０を固定した基板である。５４はフレキシブルプリント回路板であり、撮像素子５０の回転によっても回路接続に支障が無いように長さに余裕を持たせてある。
【００１９】
５６は撮像素子５０の発生熱を放射するための放熱板であり、撮像素子５０（即ち、ズーム・レンズ・ユニット４４）が回転しても所期も目的を達成できるように、略円形にしてある。
【００２０】
５８は、カード６０を入れるときに、ズーム・レンズ・ユニット４４の外装を擦って変形させないようにする薄い板、６２は電池である。
【００２１】
図４は、図３のＩＶ−ＩＶ線から見た対物レンズ部１２の縦断面図である。６４はストロボ反射笠、６６はストロボ回路、６８はストロボ回路用プリント基板、７０はストロボ用メインコンデンサである。
【００２２】
図５は、図３のＶ−Ｖ線から見た縦断面図である。７２は液晶表示素子、７４，７６はプリント基板、７８はこのカメラの実装回路である。
【００２３】
図６は、図５のＶＩ−ＶＩ線から見た対物レンズ部１２の断面図である。先に説明したように対物レンズ部１２をカメラ本体１０に対して回転させた時にズーム・レンズ・ユニット４４も一緒に回転するので、フレキシブルプリント回路板５４は、図６に示すように、長さに余裕を持たせて、幾つもの折り曲げを形成してある。
【００２４】
【発明の効果】
以上の説明から容易に理解できるように、本発明によれば、全体形状を偏平にしたので、携帯性がよくなった。対物レンズの後方にミラーを配置し、光軸を略直角に折り曲げてカメラ本体内へと導くようにすることで、偏平でも高倍のズームレンズを利用できる。ズームレンズ・ユニットと撮像素子を一体に回転可能にすることで、対物レンズをどのような回転角度に回転しても撮影が可能になった。対物レンズ部にストロボを装着することで、対物レンズ部をどのような角度にしてもストロボ撮影が可能になった。ズーム・レンズ・ユニットの前方にメモリカードを配置し、後方に液晶表示手段を配置することで、容積を小さくできる。撮像素子の放熱板のすぐ脇に電池室を配置したので、電池が撮像素子により温められ、寒冷地においても電池の寿命が長くなった。特に、グリップ部に電池を配置することにより、外側からは手で握って暖め、内側では撮像素子の放熱で温めるので、寒冷地では特に有効である。
【図面の簡単な説明】
【図１】  本発明の一実施例の外観斜視図である。
【図２】  本実施例の逆から見た外観斜視図である。
【図３】  本実施例の横断面図である。
【図４】  対物レンズ部１２の縦断面図である。
【図５】  本実施例の縦断面図である。
【図６】  図５のＶＩ−ＶＩ線から断面図である。
【符号の説明】
１０：カメラ本体
１２：対物レンズ部
１４：対物レンズ
１６：バリヤ開閉つまみ
１８：バリヤ
２０：ストロボのフレネル・レンズ
２２：カード・スロット
２４：メモリ・カード
２６：レリーズボタン
２８，３０：ズームボタン
３２：表示パネル
３４：液晶表示パネル
３６：再生処理用ボタン
３８：選択ボタン
４０：ストロボのオン／オフ・スイッチ
４２：指当て部
４４：ズーム・レンズ・ユニット
４６：ミラー
４８：光学ローパスフィルタ
５０：撮像素子
５２：基板
５４：フレキシブルプリント回路板
５６：放熱板
５８：薄い板
６０：カード
６２：電池
６４：ストロボ反射笠
６６：ストロボ回路
６８：ストロボ回路用プリント基板
７０：ストロボ用メインコンデンサ
７２：液晶表示素子
７４，７６：プリント基板
７８：実装回路
【図１】
0003902856.tif 000002
【図２】
0003902856.tif 000003
【図３】
0003902856.tif 000004
【図４】
0003902856.tif 000005
【図５】
0003902856.tif 000006
【図６】
0003902856.tif 000007